(57)【特許請求の範囲】
【請求項１】
織り柄データを表示する画像表示手段と、
前記表示された織り柄データの色相を選択する色相選択手段と、
前記画像表示手段の所定の領域上に表示されるとともに、環状に形成された配列中に前記選択した色相を表示する第１色環表示手段と、
同じく環状に形成されて前記第１色環表示手段の内周または外周で同心的に配置されるとともに、予め設定された色相配列を表示する第２色環表示手段と、
前記第１色環表示手段に設定された色相のうち、複数の色相を所定の角度で選択する配色パターン設定手段と、
前記配色パターン設定手段で選択した色相を、前記角度を保持しながら前記第１色環表示手段の配列上を移動するとともに、配列の位置に応じて色相を変化させる色相変更手段と、
前記第１色環表示手段の色相と第２色環表示手段の色相とを交換する色相交換手段と、
前記色相変更手段による移動後の色相を前記織り柄データの選択された色相として表示する画像データ更新手段とを備えたことを特徴とする多重色環配色装置。
【請求項２】
前記第２色環表示手段は、第１色環表示手段に対して明度又は彩度が異なるとともに、同心的に配置された複数の色相配列から構成されたことを特徴とする請求項１に記載の多重色環配色装置。
【請求項３】
前記色相交換手段は、同心的に配置された第１及び第２色環表示手段の径方向に沿った配列同士で色相の交換を行うことを特徴とする請求項２に記載の多重色環配色装置。
【請求項４】
前記配色パターン設定手段は、予め設定された色相の角度及び選択する色相の数が異なる複数の配色パターンと、これら複数の配色パターンのうちの一つを選択するパターン選択手段とを備えたことを特徴とする請求項１又は請求項２に記載の多重色環配色装置。
【発明の詳細な説明】
【０００１】
【発明の属する技術分野】
本発明は、織物の配色を行う装置に関し、特に複数の配色を同時に変更可能な配色装置に関するものである。
【０００２】
【従来の技術】
織り柄等の配色を検討、設定する配色装置としては、コンピュータを主体として、スキャナ、ディスプレー、入力装置等から構成された画像処理装置が従来から用いられており、スキャナから読み込んだ織り柄をディスプレー上に表示するとともに、操作者は入力装置を介して織り柄上の任意の色を変更することで、配色を検討、設定していた。
【０００３】
【発明が解決しようとする課題】
しかしながら、上記従来例では、設定された配色は、操作者の熟練度や資質に応じて大きく変動し、熟練の浅い操作者では配色作業を行うのに多大な労力及び時間を必要としており、さらに、バランスの良い配色が設定できたとしても、この配色と同一の色糸が無い場合には、新たに色糸を製造する必要が生じ、製造コストが大幅に増大するという問題があった。
【０００４】
また、スキャナ等の読み取り手段で取り込んだ画像データがフルカラー、すなわち、１６７０万色以上である場合には 、配色の組み合わせが１６７０万色以上となるため、容易に配色の変更を行うことができず、加えて、ディスプレーに表示された配色を変更する場合、上記画像処理システムの「色替え」コマンド等によって配色の変更を行うことはできるが、配色変更前後の配色の比較検討を容易に行うことができず、同様に、配色の明度又は彩度を変更する場合も変更前後の比較検討を容易に行うことができなかった。加えて、上記従来例では、配色パターンに応じた配色の組み合わせをその都度作成する必要があり、この作業に多大な労力及び時間を必要とするという問題があった。
【０００５】
そこで本発明は、上記問題点に鑑みてなされたもので、読み込んだ織り柄データの配色の変更を、熟練を要することなく容易かつ迅速に行うとともに、配色パターンの設定または変更を容易かつ迅速に行うことが可能な多重色環配色装置を提供することを目的とする。
【０００６】
【課題を解決するための手段】
第１の発明は、図６に示すように、織り柄データを表示する画像表示手段５０と、前記表示された織り柄データの色相を選択する色相選択手段５１と、前記画像表示手段の所定の領域上に表示されるとともに、環状に形成された配列中に前記選択した色相を表示する第１色環表示手段５２と、同じく環状に形成されて前記第１色環表示手段５２の内周または外周で同心的に配置されるとともに、予め設定された色相配列を表示する第２色環表示手段５３と、前記第１色環表示手段５２に設定された色相のうち、複数の色相を所定の角度で選択する配色パターン設定手段５４と、前記配色パターン設定手段５４で選択した色相を、前記角度を保持しながら前記第１色環表示手段５２の配列上を移動するとともに、配列の位置に応じて色相を変化させる色相変更手段５５と、第１色環表示手段５２の色相と第２色環表示手段５３の色相とを選択的に交換する色相交換手段５７と、前記色相変更手段５５による移動後の色相を前記織り柄データの選択された色相として表示する画像データ更新手段５６とを備える。
【０００７】
また第２の発明は、前記第１の発明において、前記第２色環表示手段５３は、第１色環表示手段に対して明度又は彩度が異なるとともに、同心的に配置された複数の色相配列から構成される。
【０００８】
また第３の発明は、前記第２の発明において、前記色相交換手段５７は、同心的に配置された第１及び第２色環表示手段５２、５３の径方向に沿った配列同士で色相の交換を行う。
【０００９】
また第４の発明は、前記第１又は第２の発明において、前記配色パターン設定手段５４は、予め設定された色相の角度及び選択する色相の数が異なる複数の配色パターンと、これら複数の配色パターンのうちの一つを選択するパターン選択手段５８とを備える。
【００１０】
【作用】
したがって、第１の発明は、画像表示手段に表示された織り柄データの色相の中から色相選択手段によって選択された色相が環状の色相配列で構成された第１色環表示手段の所定の位置に表示される。そして、配色パターン設定手段で選択された複数の色相は、各色相間の角度を保持したまま、すなわち、補色関係や類似色関係等を保持しながら環状の第１色環表示手段上を回転して任意の色相に変化させることができ、この変化した色相で織り柄データの色相を更新して織り柄の配色を検討することができ、さらに、選択した第１色環表示手段上の色相と、同心的に配置された第２色環表示手段の色相を選択的に交換して所望の配色を得ることができ、このとき、変化前後の色相は第１及び第２色環表示手段に保持されるため、変化前後の色相の変化を容易に確認することができる。
【００１１】
また第２の発明は、前記第２色環表示手段は、第１色環表示手段に対して明度又は彩度が異なる複数の環状色相配列で構成され、第１色環表示手段の内周及び外周に配置すれば、第１色環表示手段に選択した織り柄データの色相の明度や彩度の比較、交換を容易かつ迅速に行って所望の織り柄データを得ることができる。
【００１２】
また第３の発明は、第１及び第２色環表示手段間の色相の交換は、同心的に配置された第１及び第２色環表示手段の径方向に沿った配列同士で行われるため、色相を維持したまま、明度あるいは彩度のみを変化させて所望の織り柄データを得ることができる。
【００１３】
また第４の発明は、予め設定された色相の角度及び選択する色相の数が異なる複数の配色パターンのうちの一つを選択して、第１色環表示手段の色相を変化させるため、例えば、補色関係や類似色関係等を一々設定すること無く迅速に配色の検討、設定を行うことができる。
【００１４】
【実施形態】
以下、本発明の実施形態を添付図面に基づいて説明する。
【００１５】
図１は、多重色環配色装置の概略を示し、コンピュータ１には画像を読み込むスキャナ３、画像を表示するディスプレー２、配色結果を出力するカラープリンタ７の入出力装置に加えて、コンピュータ１へ指令等を入力するキーボード４、キーパッド８、コンソール９及びタブレット５が接続されており、タブレット５は、オペレータが操作するペン６の座標を読みとってコンピュータ１へ指令する。なお、画像の入出力を行う入出力装置は所定の色数に対応したものである。
【００１６】
ディスプレー２の表示領域は、図２に示すように、スキャナ３から読み込んだ画像データあるいはコンピュータ１の記憶手段（図示せず）に格納された画像データを表示する画像表示領域２０と、装置の制御を行うための操作メニュー表示領域２２と、画像データの配色を制御するカラーパレット表示領域２１の３つに区分けされ、画像表示領域２０がほぼ中央に配置され、この両側にカラーパレット表示領域２１と操作メニュー表示領域２２がそれぞれ配置されている。
【００１７】
そして、カラーパレット表示領域２１は、図３に示すように、複数の色環ａ〜ｃを同心的に配置した多重色環１０と、予め設定した配色パターンを選択する配色パターン選択スイッチ１３と、色相の変化方向を選択する回転方向指示スイッチ１１、１２から構成される。
【００１８】
多重色環１０は、３つの色環ｂ、ａ、ｃを内周から順に配置したもので、これら色環ａ、ｂ、ｃはそれぞれ所定数、例えば２４の色相（パレット）に分割された色相配列を構成している。
【００１９】
第１色環表示手段としての色環ａの各色相ａｋ（ｋ＝１〜２４）は、時計回りにａ１、ａ２〜ａ２４のパレット番号となるように所定の間隔で分割されており、第２色環表示手段としての色環ｂ、ｃの色相についても同様に設定される。
【００２０】
そして、各色相ａｋ、ｂｋ、ｃｋ（ｋ＝１〜２４）の位相は、同一パレット番号ｋが半径方向で整列するように設定され、例えば、中間の色環ａの色相ａ１の内周には、色環ｂの色相ｂ１が、同じくａ１の外周には色環ｃの色相ｃ１が配置される。
【００２１】
中央の色環ａには織り柄データの色相が配置され、色環ａの内周及び外周に配置された色環ｂ、ｃには予め設定された明度や彩度の異なる色相がカラーパレットｂ１〜ｂ２４、ｃ１〜ｃ２４に表示されており、例えば、色環ｂｋの彩度は淡く、色環ｃｋの彩度は鮮やかに設定されており、これら色環ｂ、ｃの色相は実際に入手可能な色糸の色相に対応する。なお、各色環ａ〜ｃの色相は、例えば、時計回りに緑、黄、赤、紫、青等の順に設定される。
【００２２】
これら、各色環ａ、ｂ、ｃの色相ａｋ、ｂｋ、ｃｋの選択は、パレット表示領域２１の多重色環１０に対応したタブレット５上の座標を、ペン６で指示することにより行われる。
【００２３】
一方、配色パターン選択スイッチ１３は、図４〜図６に示すように、単一の色相を選択する「ｉ型」と、色環上で所定の角度の２色を選択する「Ｖ型」、「Ｌ型」、「Ｉ型」と、色環上で所定の角度の３色を選択する「Ｔ型」、「Ｙ型」と、同じく色環上で所定の角度の４色を選択する「Ｘ型」が予め定義されており、さらに、任意の色数を任意の角度で選択可能な「ＭＡＮ型」により、操作者は任意の配色パターンを定義することができる。なお、上記各配色パターンを整理すると次表のようになる。
【００２４】
【表１】
0003741489.tif 000002
【００２５】
上記配色パターンの選択、設定も色相の選択と同様に、パレット表示領域２１の配色パターンに対応したタブレット５上の座標を、ペン６で指示することにより行われる。
【００２６】
次に、図３において、多重色環１０と配色パターン選択スイッチ１３との間には、選択した配色パターンの回転方向を選択する回転方向指示スイッチ１１、１２が配置され、上記と同様にタブレット５からスイッチ１１を選択すると、配色パターンが反時計回りに回転する一方、スイッチ１２を選択すると時計回りに回転する。
【００２７】
以上のようなカラーパレットによる配色の変更、設定は次のように行われる。
【００２８】
まず、スキャナ３またはコンピュータ１の記憶手段（図示せず）から読み込んだ画像データ＝織り柄データをディスプレー２の画像表示領域２０へ表示させる。
【００２９】
次に、タブレット５及びペン６で画像表示領域２０に表示された画像データの中から変更・検討する色相を選択すると、選択された色相は中央の色環ａ上の所定のパレットに配置される。例えば、２色を選択して、その色相に応じて配置されたパレットがａ１、ａ１３の場合について考える。なお、選択する色数は任意に設定可能である。
【００３０】
色環ａ上のカラーパレットａ１、ａ１３は対向位置（１８０度）に配置されるため、図３に示した配色パターンの中から「Ｉ型」を選択する。
【００３１】
そして、回転方向指示スイッチ１１、１２の「Ｌ」、「Ｒ」ボタンをタブレット５上で押し続けている間は、選択した色相ａ１、ａ１３は所定の方向へ色環ａ上を移動する。例えば、回転方向指示スイッチ１２に対応したタブレット５を押すと、色環ａ上のパレットは、対向位置を保持しながら（ａ２、ａ１４）、（ａ３、ａ１５）と順次変化し、指定された「Ｉ型」の配色パターンを保持しながら、画像表示領域２０に表示された織り柄データのうちの指定した色相を（ａ２、ａ１４）、（ａ３、ａ１５）と順次変化させ、織り柄全体の配色を容易に検討することができる。
【００３２】
さらに、中央の色環ａだけで目的の配色が作成できない場合には、外周の色環ｃ又は内周の色環ｂの彩度や明度の異なる色相ｃｋ、ｂｋを選択することにより、配色の変更を行うことができる。例えば、パレットａ１を内周のパレットｂ１の色相に変更する場合では、ペン６でパレットａ１を指示した後、外周のパレットｂ１を指示すれば、パレットａ１の色相はｂ１に変化して、この色相の変化に応じて画像表示領域２０内の所定の色相も変化し、変化前のパレットａ１の色相はｂ１に移動するため、多重色環１０上で変化前後の色相を確認することができるのである。
【００３３】
上記のような色相の変更処理は、図５に示すフローチャートをコンピュータ１が実行することで行われ、以下、このフローチャートを参照しながら詳述する。
【００３４】
ステップＳ１では、ペン６が指示したタブレット５の座標に応じて条件分岐が行われる。ペン６がカラーパレット表示領域２１上の配色パターンスイッチ１３に対応したタブレット５の座標を指示した場合には、ステップＳ２以降の色相配色選択処理へ進み、同じく、回転方向指示スイッチ１１、１２を指示した場合にはステップＳ６以降の「Ｌ」、「Ｒ」ボタン処理へ、同じく、多重色環１０上を指示した場合には、ステップＳ１１以降の多重色環処理へ、ペン６が画像表示領域２０内を指示したときには、ステップＳ１０の柄イメージ処理へ進む。
【００３５】
ステップＳ２〜ステップＳ３の色相配色処理は、ステップＳ２で「ＭＡＮ型」が選択された場合には、ステップＳ３へ進んで色環ａ上の角度＝アングルの設定を行う一方、図３のように予め設定された配色パターンを選択した場合には、そのまま、ステップＳ４へ進んで設定したアングルを多重色環１０の内周に表示する。
【００３６】
ステップ６以降の「Ｌ」、「Ｒ」ボタン処理では、まず、ステップＳ６で現在アングルが表示されているか否かを判定して、表示されていればステップＳ７へ進み、「Ｌ」ボタンに対応した回転方向指示スイッチ１１が押されていれば、ステップＳ８へ進んで所定のアングルに応じて色相を反時計まわりに変化させる一方、「Ｒ」ボタンに対応した回転方向指示スイッチ１２が押されていれば、ステップＳ９へ進んで所定のアングルに応じて色相を反時計まわりに変化させる。
【００３７】
また、ステップＳ１１以降の多重色環処理では、ステップＳ１１で中央の色環ａを選択していない場合には、上述したように、隣り合う色相ｂｋまたはｃｋとａｋを交換する。
【００３８】
上記各処理を終了した後には、ステップＳ５へ進んで、画像表示領域２０の織り柄データの色相を、色環ａで設定された色相ａｋに変更し、ステップＳ１３で処理を継続する場合には、再びステップＳ１へ戻る一方、そうでない場合には処理を終了する。
【００３９】
なお、ステップＳ１０の柄イメージ処理では、画像表示領域２０の織り柄データのうち、ペン６で選択した色相を順次色環ａの色相配列ａｋに登録した後、ステップＳ１へ復帰する。
【００４０】
上記処理を行うことにより、前述したような、色相の変更処理を容易かつ迅速に行って、かつ、変更前後の色相の確認を行うことができるのであり、また、画像表示領域２０が前記従来例のようにフルカラーであっても、変更する配色のみについて検討、設定できるため、限定された配色の組み合わせの中で検討を行うことができる。
【００４１】
ここで、織り柄の配色の特異性について述べると、織物を企画設計する際、配色を担当する技術者は、基本となる色相構成に着目して、その組み合わせから配色を決定しており、次のような、「流行現象」、「嗜好の変化」等に基づいて行われている。
【００４２】
１．「流行現象」について
視神経に同一の光刺激を繰り返し与えていると、視覚の反応が鈍くなり視神経が疲労し、また、視神経が疲労すると、疲労していない視神経を刺激する色を求める。これらが、流行を構成する一因と考えられ、色の嗜好変化の要因であるといえる。従って、一つ一つの色の流行とともに、彩り、つまり配色の嗜好変化に注目しなければならない。
【００４３】
２．色彩の嗜好変化の順序と動態
（１）  色相の嗜好変化（流行色相色）は、長波長の赤から短波長の紫へ移行し、紫に達すると再び赤に戻る。そのときに色調も変化する。
【００４４】
（２）  色調は低彩度と高彩度を往復する。
【００４５】
（３）  上記動態は、光の刺激と視神経の「興奮」が関係した生理的要因によるものと思われる。
【００４６】
（４）  配色の動態は、同系段落ち（低明度）の色調差から、類似、中間、補色、補色半円、三分割へと次第に多色配色へ移行し、多色反対色の色相差配色に至り、折り返して再び同系段落ち（低明度）へ戻る。一つの配色サイクルを１年で移行する。また、この繰り返し時期に、無彩色の明度差（白、黒、灰色など）が出現する場合が多い。
【００４７】
（５）  純色の明度位置で色調を上下に分割して、上部は春夏、下部は秋冬の色調領域といえる。
【００４８】
以上のような色彩の嗜好変化の順序、動態に基づいて、上記配色パターン選択スイッチ１３は図３及び表１のように、類似、中間、補色、補色半円、三分割をそれぞれ「Ｖ型」、「Ｌ型」、「Ｉ型」、「Ｔ型」（Ｘ型）、「Ｙ型」の配色パターンとして予め設定しておくことで、経験の浅い操作者でも容易かつ迅速に所望の流行色等を配色することが可能となって、織物設計の生産性を向上させることができ、加えて、操作者が任意の配色パターンに設定可能な「ＭＡＮ型」を備えることで、織物設計の自由度も確保することができるのである。
【００４９】
なお、上記実施形態において、色環ｂ、ｃは予め設定した色相を設定したが、操作中に任意の色相を呼び出しても良い。
【００５０】
【発明の効果】
以上説明したように、第１の発明は、画像表示手段に表示された織り柄データの色相の中から色相選択手段によって選択された色相が環状の色相配列で構成された第１色環表示手段の所定の位置に表示される。そして、配色パターン設定手段で選択された複数の色相は、各色相間の角度を保持したまま、すなわち、補色関係や類似色関係等を保持しながら環状の第１色環表示手段上を回転して任意の色相に変化させることができ、配色バランスを維持したまま色相の変化による織り柄の変化を容易に検討し、設定することができ、前記従来例に比して織り柄の配色作業を効率よく行うことが可能となる。さらに、選択した第１色環表示手段上の色相と、同心的に配置された第２色環表示手段の色相を選択的に交換して所望の配色を得ることができ、例えば、第２色環表示手段の色相を色糸の色相に設定しておけば、バランスの良い配色の織り柄を低コストで生産することができ、また、変化前後の色相は第１及び第２色環表示手段に保持されるため、変化前後の色相の変化を容易に確認することができ、熟練の浅い操作者であっても確実に配色作業を行うことが可能となる。
【００５１】
また第２の発明は、前記第２色環表示手段は、第１色環表示手段に対して明度又は彩度が異なる複数の環状色相配列で構成され、第１色環表示手段の内周及び外周に配置すれば、第１色環表示手段に選択した織り柄データの色相の明度や彩度の比較、交換を容易かつ迅速に行って所望の織り柄データを得ることができ、前記従来例に比して織り柄の配色作業を効率よく行うことが可能となる。
【００５２】
また第３の発明は、第１及び第２色環表示手段間の色相の交換は、同心的に配置された第１及び第２色環表示手段の径方向に沿った配列同士で行われるため、色相を維持したまま、明度あるいは彩度のみを変化させて所望の織り柄データを得ることができ、前記従来例に比して織り柄の配色作業を効率よく行うことが可能となる。
【００５３】
また第４の発明は、予め設定された色相の角度及び選択する色相の数が異なる複数の配色パターンのうちの一つを選択して、第１色環表示手段の色相を変化させるため、例えば、補色関係や類似色関係等を一々設定すること無く迅速に配色の検討、設定を行うことができ、熟練の浅い操作者であっても補色関係や類似色関係などの配色パターンを容易かつ確実に設定することが可能となって、織り柄の配色作業を効率よく行うことが可能となる。
【図面の簡単な説明】
【図１】本発明の一実施形態を示す多重色環配色装置の概略構成図。
【図２】ディスプレーの表示領域の一例を示す概略図。
【図３】同じくディスプレー上に表示されたカラーパレットの拡大図である。
【図４】配色パターンの一例を示す概略図である。
【図５】コンピュータで行われる処理の一例を示すフローチャートである。
【図６】第１ないし第４の発明のいずれか一つに対応するクレーム対応図である。
【符号の説明】
１  コンピュータ
２  ディスプレー
３  スキャナ
４  キーボード
５  タブレット
６  ペン
７  プリンタ
８  キーパット
９  コンソール
ａ〜ｂ  色環
１０  多重色環
１１、１２  回転方向指示スイッチ
１３  配色パターン選択スイッチ
２０  画像表示領域
２１  カラーパレット表示領域
２２  操作メニュー領域
５０  画像表示手段
５１  色相選択手段
５２  第１色環表示手段
５３  第２色環表示手段
５４  配色パターン設定手段
５５  色相変更手段
５６  画像データ更新手段
５７  色相交換手段
５８  パターン選択手段
【図１】
0003741489.tif 000003
【図２】
0003741489.tif 000004
【図３】
0003741489.tif 000005
【図４】
0003741489.tif 000006
【図５】
0003741489.tif 000007
【図６】
0003741489.tif 000008